(57)【特許請求の範囲】
【請求項１】
内容物を充填した容器をキャップ部で封止し、該キャップ部と前記容器の一部を被覆して封緘するとともに、周方向への外力により破断する環状の破断線が形成されたキャップシールにおいて、
前記キャップシールに、前記環状の破断線から上方へ斜めに、かつ、互いに所定距離で離間してそれぞれ相反する方向へ所定長さで延伸する一対の破断線を周方向へ少なくとも一つ形成し、
前記キャップシールを一方向へ回転させると、前記環状の破断線と共に前記回転方向に交叉する後方の破断線が破壊されるように構成したことを特徴とするキャップシール。
【請求項２】
内容物を充填した容器をキャップ部で封止し、該キャップ部と前記容器の一部を被覆して封緘するとともに、周方向への外力により破断する環状の破断線が形成されたキャップシールにおいて、
前記キャップシールに、前記環状の破断線から上方へ斜めに、かつ、互いに所定距離で離間してそれぞれ相反する方向へ所定長さで延伸する一対の破断線を周方向へ少なくとも一つ形成するとともに、
該破断線間に少なくとも一つの周方向の破断線を所定長さで形成し、
前記キャップシールを一方向へ回転させると、前記環状の破断線と共に前記回転方向に交叉する後方の破断線が破壊されるように構成したことを特徴とするキャップシール。
【発明の詳細な説明】
【０００１】
【発明の属する技術分野】
この発明は、飲料用容器、調味料用容器、医薬品用容器、化粧品用容器等のガラス、樹脂又は金属等から構成される容器としての瓶部とそのキャップ部を被覆して封緘するキャップシールに、いたずら・開封操作等が施された場合に、その証拠が外観上判然と残るようにしたものである。
【０００２】
【従来の技術】
キャップシールは当該瓶詰商品を購入した場合に、製造者以外の第三者によって中身が改変されたり、抜き取りなどのいたずらがなされたことがないことを証明する手段（ピルファープルーフ）として普遍的に用いられているものである。
この手段を有するキャップシールは、例えば図６に示すように、瓶口２をキャップ部３で閉じた瓶部９に、キャップ部３の天部に達する熱収縮性樹脂からなる筒状フィルムを嵌挿して加熱し密着させたもので、ビード部５が半径方向へ突出しているために抜け止めされている。
【０００３】
このキャップシール１にはビード部５の上側で環状に、所謂ミシン目などの１本の破断線４が形成されている。さらに、この環状の破断線４に直交する方向で２本の破断線６，７が上方に向け、キャップ部３の頂部においてその周囲を包囲する辺縁８に至り形成されている。この破断線６，７は開封時に切り取ってキャップシール１の上部１ａを除去するためのものであり、通常一般的に用いられている。
【０００４】
したがって、いたずらをすべき開封のためにキャップシール１を回転させると、キャップ部３に密着する上部１ａに回転力が加わる一方、下部１ｂはビード部５及び瓶部９に密着して固定しているので破断線４が容易に引き裂かれる結果、上部１ａと下部１ｂとが明確に分離していたずらがなされたことの証拠となる。
【０００５】
【発明が解決しようとする課題】
しかしながら、破断線４は１本で水平方向で直線状に形成されているから、仮に破断しても上部１ａと下部１ｂを隙間なく合わせておけば、一見では元の状態と同じ外観を呈し、破断していることが判然としないであたかも修復された如き場合がある。従って、開封したものを未開封と誤認することも時としてある。
【０００６】
そこで、この発明は、上記事情に鑑みて、いたずら目的でキャップシールを開封したとき、その破断線に沿った一部が引き裂かれてめくれるなどして修復不可能となり、したがって開封の証拠が判然となるようにしたキャップシールを提供する。
【０００７】
【課題を解決するための手段】
この発明にかかるキャップシールは、請求項１によれば、内容物を充填した容器をキャップ部で封止し、該キャップ部と前記容器の一部を被覆して封緘するとともに、周方向への外力により破断する環状の破断線が形成されたキャップシールにおいて、前記キャップシールに、前記環状の破断線から上方へ斜めに、かつ、互いに所定距離で離間してそれぞれ相反する方向へ所定長さで延伸する一対の破断線を周方向へ少なくとも一つ形成し、前記キャップシールを一方向へ回転させると、前記環状の破断線と共に前記回転方向に交叉する後方の破断線が破壊されるように構成したことを特徴とする。
【０００８】
したがって、いたずら目的で開封しようとしてキャップシールを回転させれば、キャップシールにおける上方へ斜めに、かつ、互いに所定距離で離間してそれぞれ相反する方向へ所定長さで延伸する一対（以下逆ハの字状という）の破断線のうちの回転方向前方の破断線は破断されることなく、回転方向に交叉する後方の破断線が破壊され、この後方の破断線と交叉する環状の破断線が破壊され、その交叉部分の切れ端がめくれるなどして、外観的に判然としていたずらが加えられた証拠となる。
【０００９】
また、請求項２によれば、内容物を充填した容器をキャップ部で封止し、該キャップ部と前記容器の一部を被覆して封緘するとともに、周方向への外力により破断する環状の破断線が形成されたキャップシールにおいて、前記キャップシールに、前記環状の破断線から上方へ斜めに、かつ、互いに所定距離で離間してそれぞれ相反する方向へ所定長さで延伸する一対の破断線を周方向へ少なくとも一つ形成するとともに、該破断線間に少なくとも一つの周方向の破断線を所定長さで形成し、前記キャップシールを一方向へ回転させると、前記環状の破断線と共に前記回転方向に交叉する後方の破断線が破壊されるように構成したことを特徴とする。
【００１０】
したがって、いたずら目的で開封しようとしてキャップシールを回転させれば、キャップシールの逆ハの字状の破断線のうちの回転方向前方の破断線は、逆ハの字状の破断線間の破断線のミシン目の切れ目がふくらみ、一時的に緩衝の働きをするので破断されることなく、回転方向に交叉する後方の破断線が破壊され、この後方の破断線と交叉する環状の破断線が破壊され、その交叉部分は回転とともに引き裂かれて切れ端がめくれる効果が顕著になり、外観的に判然としていたずらが加えられた証拠となる。
【００１１】
【発明の実施の形態】
以下この発明の実施の形態を図に基づき説明する。図１に示すように、ビード部５で抜け止めされて瓶部９からキャップ部３にかけて従来同様に密着したキャップシール１２は、従来と同じ環状の破断線（以下第１の破断線という）４とそれから上方に立ち上がる破断線（以下第２の破断線という）６，７を有するとともに、これらに加えて、前記第１の破断線４から斜め上方へ互いに相反する方向へ立ち上がる一対で逆ハの字状の破断線（以下第３の破断線という）１３，１４が形成され、かつ、この第３の破断線１３，１４の間に上下配置で一対の周方向の破断線（以下第４の破断線という）１５，１６が形成されている。
【００１２】
上記第３及び第４の破断線１３，１４，１５，１６はキャップシール１２の上部１２ａに周方向へ一定間隔で複数箇所に形成するが、第２の破断線６，７に重ならないよう一箇所にのみ形成することとしてもよい。第３の破断線１３，１４の傾斜角度は任意であり、また、第４の破断線１５，１６はいずれか一つで足る。なお、緩衝性を高めるため、複数の第４の破断線１５，１６を形成する場合の間隔は、これらが第３の破断線１３，１４の範囲内に収まるものであれば任意である。
【００１３】
なお、キャップシール１２の材質は従来のものと何等変更は無いが、第４の破断線１５，１６の形成については、キャップシールの材質・厚みにより適宜設けられるものである。また、キャップシール１２をキャップ部３から瓶部９にかけて装着する方法についても従来のものと何等変更は無い。さらに、第３及び第４の破断線１３〜１６の形成方法も従来周知の第１及び第２の破断線４，６，７を形成する方法と同じであり、所定ピッチのミシン刃が用いられる。
【００１４】
そこで、上記構成にかかるキャップシール１２の作用について説明すると、瓶内の液体を抜き取り又は瓶内に異物等を混入しようとしてキャップ部３を開封しようとすれば、通例、キャップシール１２を反時計回りに回転させることが考えられる。そこで、説明の都合上、図２に示すように、反時計方向回りにキャップシール１２の上部１２ａを回転させる目安として、第１の破断線４を挟んで上部１２ａと下部１２ｂにマークＭを付けて説明する。
【００１５】
従って、第４の破断線１５，１６を設けた場合において、キャップ部がスクリュウキャップであるキャップシール１２の上部１２ａを回すと（マークＭの位置ずれを「ｌ」とする）、回転とともにキャップ部３とキャップシール１２の上部１２ａは、上昇しようとする。
【００１６】
このときキャップシール１２には回転捻りの力が作用し、破断線には引っ張り力と剪断の力が働き、同時に破断しようとするが、先ず第１の破断線４のうち、図２中に便宜的に示す部位ａ、及び一方の部位ｂが破断することになる。これはキャップシール１２の下部１２ｂがビード部５及び瓶部９に密着しているため、キャップシール１２を形成するフィルムに伸びる余地が殆どないためである。
【００１７】
この直後、図３に示すように、第１の破断線４のうち、部位ｃと第３の破断線１３に破断が生じる。これは、回転に伴う捻り力が作用しているが、回転捻り方向と同じ方向の第３の破断線１４には力の影響は殆どなく、また、他方の第３の破断線１３には、直交する力が作用するためである。第４の破断線１５，１６はその効果を最大限に発揮させるためのクッションとして作用する。
【００１８】
つまり、破断線１５，１６部分にも引っ張り力が働き、小さい寸法ではあるが、破断線が広がり、破断線４，１３の交点部分にかかる周方向の力を軽減させる一方、回転捻り力（剪断力）が上方に合力されて、斜め上方に形成される破断線１３を破断するよう作用するためと思われる。
【００１９】
最終的に破断しないで残存していた部位ｄ部分のマークＭの位置ずれ「ｌ」相当部分が、図４に示すように破断し、キャップシールの破断線のない部分を引き裂く力は破断線で弱められた部分よりも大きな力を要するため、第３の破断線１３と第１の破断線４とで形成される三角形状の切れ端２０が、例えば、図５に示すように引き裂かれてめくれた状態となる。このとき、図４に示すように、キャップシール１２は切れ端２０を形成して上部１２ａと下部１２ｂに別れる。しかしながら、下部１２ｂは破壊されずに残ることになる。
【００２０】
なお、第４の破断線１５，１６がない場合には、最初の段階で破断しないで残存する部位はマークＭの位置ずれ「ｌ」相当部分の部位ｄであり、結果として同様となるが、破断線１５，１６がある方が効果が大きい。さらに、時計回りに回転させる場合は、一方の第３の破断線１４側が同様の状態となる。
【００２１】
かくして開封した後、万一キャップシール１２を元に戻しても、図５に示すように、切れ端２０が引き裂かれ、めくれて修復不可能になるために判然とし、外観上きわめて顕著に識別できることとなるから、いたずら・開封操作をした証拠が判然とするというものである。
【００２２】
【発明の効果】
以上説明したこの発明によれば、例えばいたずらなどの目的で、キャップシールを回転させると、逆ハの字状の破断線の一方側が破断してその切れ端が引き裂かれてめくれ上がり、修復不可能な状態となることから、既に開封された状態を判然と外観で認識することが可能になる。
【図面の簡単な説明】
【図１】この発明の実施の形態を示す容器の部分斜視図
【図２】この発明の要部を示す正面図
【図３】この発明の作用説明図
【図４】この発明の作用説明図
【図５】キャップシールに外力が加わった状態を示す斜視図
【図６】従来のキャップシールを示す容器の部分斜視図
【符号の説明】
３…キャップ部
４…第１の破断線（環状の破断線）
９…瓶部
１２…キャップシール
１３，１４…第３の破断線（逆ハの字状の破断線）
１５，１６…第４の破断線（周方向の破断線）
２０…切れ端
【図１】
0003881724.tif 000002
【図２】
0003881724.tif 000003
【図３】
0003881724.tif 000004
【図４】
0003881724.tif 000005
【図５】
0003881724.tif 000006
【図６】
0003881724.tif 000007